(57)【特許請求の範囲】
【請求項１】
少なくとも上槽と下槽より構成される浄化槽において、前記上槽がノルボルネン系シクロオレフィン類からなる樹脂製で成形され、前記下槽が繊維強化プラスチック製で成形されていることを特徴とする浄化槽。
【請求項２】
浄化槽の高さ寸法において、下槽の高さ寸法が上槽の高さ寸法より大きいことを特徴とする請求項１に記載の浄化槽。
【発明の詳細な説明】
【０００１】
【発明の属する技術分野】
本発明は、し尿及び雑排水などの処理に用いられる上下槽接合型の浄化槽に関する。
【０００２】
【従来の技術】
上下槽接合型の浄化槽は、図３の（ａ）、（ｂ）、（ｃ）に示すように、上槽２、下槽３、あるいは上槽２、下槽３及びそれらを接合する帯状の中槽（図示省略）を介してフランジ４、５面を合わせて接合され、組み立てられている。これら上下槽接合型の浄化槽１には、ノルボルネン系シクロオレフィン類の樹脂で成形した上槽２、下槽３が用いられたり、または不飽和ポリエステルを強化繊維に含浸させた繊維強化プラスチック（ＦＲＰと略す）で成形した上槽２、下槽３が用いられている。即ち上下槽接合型の浄化槽１は、同一の材料から成形された上槽２、下槽３を用いて組み立てられている。
【０００３】
【発明が解決しようとする課題】
上記のような浄化槽１において、ノルボルネン系シクロオレフィン類の樹脂で成形された外槽（上槽２及び下槽３）は、曲げ強さ、曲げ弾性率などの機械的強度が小さく変形しやすいため耐衝撃性に強く、またマンホール６のように突出し開口部を有する形状でも同時成形が可能で生産性に優れている。しかしながら、外槽（上槽２及び下槽３）の変形量が大きく、これを防止するため肉厚を大きくしたりリブを多数設けたり、更には接着性が悪いため、接着を必要とする接着面の細かい面粗しが必要とされるなどの課題があった。
【０００４】
一方、ＦＲＰ製の外槽（上槽２及び下槽３）は、曲げ強さ、曲げ弾性率が大きく強度があるため外槽の変形量が小さく、また接着性にも優れているが、外槽（上槽２及び下槽３）の成形に多くの時間を要したり、マンホール６のように突出し開口部を有するような複雑な形状の同時成形ができないという課題があった。
【０００５】
本発明は、上記のような課題に鑑みてなされたものであり、ノルボルネン系シクロオレフィン類からなる樹脂製及びＦＲＰ製の両者の特長を生かして、十分な強度を有し且つ生産性に優れた上下槽接合型の浄化槽を提供することを目的とする。
【０００６】
【課題を解決するための手段】
上記の目的を達成するために、本発明は、マンホールのように突出し開口部を持つ複雑な形状を有する上槽には、同時成形ができるノルボルネン系シクロオレフィン類の樹脂で成形した槽を用い、また水圧や土圧が大きくかかる下槽には、強度が強く変形量の小さいＦＲＰ製で成形した槽を用い、前記上下槽を接合させて浄化槽とするものである。
【０００７】
即ち、本発明の請求項１は、図１の（ａ）、（ｂ）、（ｃ）に示すように、少なくとも上槽８と下槽９より構成される浄化槽７において、前記上槽８がノルボルネン系シクロオレフィン類からなる樹脂製で成形され、前記下槽９が繊維強化プラスチック（ＦＲＰ）製で成形されていることを特徴とする。
【０００８】
また、本発明の請求項２は、図２に示すように、浄化槽７の高さ寸法において、下槽９の高さ寸法Ｈ１が上槽８の高さ寸法Ｈ２より大きいことを特徴とする。
【０００９】
【発明の実施の形態】
本発明の浄化槽７を図１の（ａ）、（ｂ）、（ｃ）及び図２を参照して説明すると、浄化槽７の上槽８には、ノルボルネン系シクロオレフィン類からなる樹脂製が、また下槽９にはＦＲＰ製が用いられる。なお、図１は本発明の上下槽接合型の浄化槽７を示し、（ａ）は上槽８を示す斜視図、（ｂ）は仕切板１４や濾材抑え１５を取り付けた下槽９を示す斜視図及び（ｃ）は下槽９に上槽８を載せて接合した浄化槽７を示す斜視図である。また図２は、図１（ｃ）のＡ−Ａ面の断面図を示す。
【００１０】
上記上槽８には、浄化槽７の点検を行うことができるように、マンホール１２が設けれており、該マンホール１２は、仕切板１４によって形成される隔室が点検できるように複数が設けられる。またマンホール１２は、上槽８の上端からさらに上側に突出して成形され、該マンホール１２には、別体のマンホールカバー（図示省略）が取り付けられる。一方、浄化槽７は、埋設して使用されるため大きな土圧又は水圧がかかることから、上槽８には、変形を防止するための複数のリブ１３が内部に設けられる。なお、リブ１３は、上槽８の外側に設けられてもよく、リブ１３の他にコルゲートが設けられてもよく、またはコルゲートだけが設けられてもよい。
【００１１】
上記のように複雑な形状を有する上槽８を一体で且つ同時に成形できることが生産性を高める上でのポイントであり、この目的のために上槽８には、ノルボルネン系シクロオレフィン類からなる樹脂製が用いられる。該ノルボルネン系シクロオレフィン類からなる樹脂を用いた上槽８の成形には、ノルボルネン系シクロオレフィン類とメタセシス重合触媒等を型内へ注入して反応成形させるＲＩＭ（反応射出成形）成形が用いられ、前記した複雑な形状でも成形ができる。
【００１２】
上記のノルボルネン系シクロオレフィン類としては、ノルボルネン、メチルノルボルネン、ジメチルノルボルネン、エチルノルボルネン、エチリデンノルボルネン、ブチルノルボルネンなどの二環ノルボルネン、ジシクロペンタジエン（シクロペンタジエンの二量体）、ジヒドロジシクロペンタジエン、メチルジシクロペンタジエン、ジメチルジシクロペンタジエンなどの三環ノルボルネン、テトラシクロドデセン、メチルテトラシクロドデセン、ジメチルシクロテトラドデセンなどの四環ノルボルネン、トリシクロペンタジエン（シクロペンタジエンの三量体）、テトラシクロペンタジエン（シクロペンタジエンの四量体）などの五環以上のノルボルネンが挙げられる。また、２個以上のノルボルネン基を有する化合物、例えば、ノルボルナジエン、テトラシクロドデカジエン、対称型トリシクロペンタジエン等を多官能架橋剤として用いることもできる。
【００１３】
これらの中で、入手の容易さ、経済性などからジシクロペンタジエン、メチルテトラシクロドデセン、エチリデンノルボルネン、トリシクロペンタジエン、テトラシクロペンタジエンが好ましく、ジシクロペンタジエンが特に好ましく用いられる。
【００１４】
一方、既述したように浄化槽７には、土圧や水圧が大きくかかり、特に下槽９には、上槽８よりさらに大きな圧力がかかる。従って、これら下槽９にノルボルネン系シクロオレフィン類の樹脂製を用いると、変形を防止するために槽の肉厚を上槽８より厚くしたり、多数のリブを必要としたりあるいは内部に梁を設けるなどの構造が必要とされ、生産性や経済性が低下してしまう。
【００１５】
そこで前記下槽９には、強度が強く変形量の小さいＦＲＰ製で成形した槽を用いるものである。ＦＲＰは、熱硬化性樹脂組成物を強化材のガラス繊維に含浸させ硬化させて得られるものであり、前記下槽９の成形は、熱硬化性樹脂組成物及びガラス繊維を成形型上へハンドレーアップ又はスプレーアップ等により積層し硬化させたり、またはシートモールディングコンパウンド（ＳＭＣ）、バルクモールディングコンパウンド（ＢＭＣ）にして、金型内で加圧加熱して硬化させることにより成形される。なお、下槽９には、上槽８と同様にリブが設けられたり、あるいはコルゲートが設けられる。
【００１６】
上記の熱硬化性樹脂組成物は、熱硬化性重合型不飽和エステルに充填剤、重合禁止剤、硬化剤又は必要に応じて増粘剤、低収縮剤、着色剤等の添加剤が加えられてなるものであり、そして熱硬化性重合型不飽和エステルには、不飽和ポリエステル、ビニルエステル等が挙げられるが、好ましくは不飽和ポリエステルが用いられる。不飽和ポリエステルは、多価アルコールと不飽和多塩基酸、飽和塩基酸を重縮合させて得られる。
【００１７】
上記のようにして成形される下槽９には、図１（ｂ）に示すように、浄化槽７に所定の機能を発揮させるために仕切板１４を内装して隔室が設けられ、更に隔室に濾材（図示省略）が収納されたり、該収納した濾材の濾材抑え１５などが設けられる。なお、前記仕切板１４は、隔室内の槽内水が互いに漏水しないように下槽９の内壁に接着される。
【００１８】
このように各部品を取り付けた下槽９には、該下槽９のフランジ１１上に上記した上槽８が載せられて、フランジ１０、１１が接着され、または更にボルト、リベット等の固定具で締結固定されて、図１（ｃ）に示す浄化槽７が組み立てられる。なお、仕切板１４と上槽８内壁とは、上槽８を載せる前に仕切板１４の立上り縁部に予め接着剤を塗布しておいたり、または上槽８を載せた後にマンホール１２から覗き込み接着剤を塗布して接着される。
【００１９】
図１（ｃ）に示す浄化槽７は、前記したように埋設して使用され、また浄化槽７の隔室全体又は特定の隔室の槽内水が引き抜かれることがあり、そのため特に下槽９には大きな土圧、水圧がかかり、また下槽９と仕切板１４との接着部には、大きな水圧がかかることになる。
【００２０】
そこで本発明は、下槽９に強度の強いＦＲＰ製を用いるとともに、浄化槽７の高さ寸法において、下槽９の高さ寸法Ｈ１を上槽８の高さ寸法Ｈ２より大きくさせている。即ち、図２に示すように下槽９の高さ寸法Ｈ１を上槽８の高さ寸法Ｈ２より大きくさせることにより、上槽８にかかる土圧、水圧を低減させている。また、下槽９の高さ寸法Ｈ１を上槽８の高さ寸法Ｈ２より大きくさせることによって、仕切板１４は、接着性がよいＦＲＰ製の下槽９の内壁と多く接して強固に接着される。従って、仕切板１４によって形成される隔室間の漏水防止の信頼性がより高まる。
【００２１】
なお、浄化槽７は、上槽８及び下槽９について説明したが、浄化槽７の規模によっては、上槽８と下槽９との間にそれらを接合する帯状の中槽が設けられてもよく、そして、該中槽には、ＦＲＰ製又はノルボルネン系シクロオレフィン類からなる樹脂製が用いられてもよい。
【００２２】
一方、組み立てた浄化槽７は、上槽８と下槽９との色相が異なるので、場合によっては、ほぼ同一の色相になるように加飾処理が施されてもよい。この場合には、上槽８の色相に下槽９を合せることがよく、そして、下槽９の熱硬化性樹脂組成物に顔料や染料などの着色剤を添加してもよく又は下槽９に塗装を行ってもよい。
【００２３】
以上のように本発明は、マンホール１２のように突出し開口部を持つ複雑な形状を有する上槽８には、同時成形ができるノルボルネン系シクロオレフィン類の樹脂で成形した槽を用い、また土圧や水圧が大きくかかる下槽９には、強度が強く変形量の小さいＦＲＰ製で成形した槽を用い、また下槽９の高さ寸法Ｈ１を上槽８の高さ寸法Ｈ２より大きくさせるものである。
【００２４】
【実施例】
（上槽８の成形）
図１（ａ）に示す上槽８は、ノルボルネン系シクロオレフィン類としてジシクロペンタジエンを用いて、ＲＩＭ成形により製造した。上槽８の形状は、縦１，０００ｍｍ、横２，０００ｍｍ、高さ（Ｈ２）６００ｍｍ、肉厚約５ｍｍとし、変形を防止させるために高さ５０ｍｍのリブ１３を長手方向の内壁に３対設けた。また、マンホール１２を長手方向に直径４５０ｍｍのもの２個、６００ｍｍのもの１個をＲＩＭ成形時に形成させた。
【００２５】
（下槽９の成形）
図１（ｂ）に示す下槽９は、不飽和ポリエステル樹脂組成物からなるＳＭＣを用いて、金型に載置し加圧加熱成形して製造した。下槽９の形状は、縦１，０００ｍｍ、横２，０００ｍｍ、高さ（Ｈ１）１，２００ｍｍとし、上槽８の高さ寸法Ｈ２より大きくした。なお肉厚は約５ｍｍとした。
【００２６】
（仕切板１４及び収納物の取り付け）
仕切板１４は、不飽和ポリエステル樹脂組成物からなるＳＭＣを用いて、金型に載置し加圧加熱成形して肉厚約５ｍｍを製造した。浄化槽７には図１（ｂ）に示すように４室を形成させるため、前記仕切板１４の３枚を下槽９の内壁へ接着させた。接着には、ウレタン系の接着剤を用い、該接着剤を下槽９の所定位置の内壁へ塗り付け、その上に仕切板１４を載せ押さえて接着させた。次に図２に示すように隔室へ支持材１６、濾材１７を充填し、その上に濾材抑え１５を取り付けた。
【００２７】
（浄化槽７の組み立て）
そして、上記の仕切板１４の露出している立上り縁部にウレタン系の接着剤を塗り付け、前記下槽９のフランジ１１上へシリコ−ン製のコ−キング剤を塗布した後、該下槽９のフランジ１１と上槽８のフランジ１０とを合わせて上槽８を載せた。これにより前記仕切板１４の立上り縁部と上槽８の内壁とが接着される。また、下槽９のフランジ１１及び特に上槽８のフランジ１０は、面粗しを綿密に行い、不飽和ポリエステル樹脂組成物を含浸させたガラス繊維マットでオーバーレイして硬化させ、接合させた。以上の工程により図１（ｃ）に示す浄化槽７を組み立てた。
【００２８】
【発明の効果】
以上のように本発明は、少なくとも上槽と下槽より構成される浄化槽において、上槽がノルボルネン系シクロオレフィン類からなる樹脂製で成形され、下槽がＦＲＰ製で成形されている槽を用いて接合させるようにした浄化槽であり、変形量の少ない十分な強度を有し且つ生産性に優れた上下槽接合型の浄化槽を提供することができる。また、浄化槽の高さ寸法において、下槽の高さ寸法を上槽の高さ寸法より大きくしたので、浄化槽の強度がさらに高められるとともに、仕切板を強固に下槽へ接着させることができ、隔室間の漏水防止の信頼性を向上させることができる。
【図面の簡単な説明】
【図１】本発明の上下槽接合型の浄化槽を示す図面であり、（ａ）は、上槽を示す斜視図、（ｂ）は、仕切板や濾材抑えを取り付けた下槽を示す斜視図、（ｃ）は、（ｂ）の下槽に（ａ）の上槽を接合した浄化槽を示す斜視図。
【図２】図１（ｃ）のＡ―Ａ面の断面図。
【図３】従来の上下槽接合型の浄化槽を示す図面であり、（ａ）は、上槽を示す斜視図、（ｂ）は、下槽を示す斜視図、（ｃ）は（ｂ）の下槽に（ａ）の上槽を接合した浄化槽を示す斜視図。
【符号の説明】
１．浄化槽  ２．上槽  ３．下槽  ４．フランジ  ５．フランジ  ６．マンホール  ７．浄化槽  ８．上槽  ９．下槽  １０．フランジ  １１．フランジ  １２．マンホール  １３．リブ  １４．仕切板  １５．濾材抑え  １６．支持材  １７．濾材
【図１】
0003994301.tif 000002
【図２】
0003994301.tif 000003
【図３】
0003994301.tif 000004